(57)【要約】【課題】非接触型のＩＣカードを利用した画像処理に対する課金を正確に精算できる課金方法、課金システム及び画像処理装置を提供することを目的とする。【解決手段】電波を利用してデータの送受信が可能な記録媒体を使用して画像処理に対する課金を行う課金システムにおける課金方法であって、課金システムが、記録媒体の識別子を読み出し、その識別子から一意に特定される口座から電子マネーを引き落として預かり金とする引き落としステップと、ユーザからの指示に基づいて画像処理を行い、その画像処理に対する課金と預かり金とを照合して差額を未精算金として算出する未精算金算出ステップと、記録媒体の識別子を読み出し、その識別子から一意に特定される口座に未清算金があるとき、口座と未精算金とに基づいて精算を行う精算ステップとを有することにより上記課題を解決する。【選択図】図９
2007299293.tif 000002
【特許請求の範囲】
【請求項１】
電波を利用してデータの送受信が可能な記録媒体を使用して画像処理に対する課金を行う課金システムにおける課金方法であって、
前記課金システムが、前記記録媒体との間でデータの送受信を行う装置を介して前記記録媒体から前記記録媒体の識別子を読み出し、その識別子から一意に特定される口座から電子マネーを引き落として預かり金とする引き落としステップと、
前記課金システムが、ユーザからの指示に基づいて画像処理を行い、その画像処理に対する課金と前記預かり金とを照合して差額を未精算金として算出する未精算金算出ステップと、
前記課金システムが、前記記録媒体との間でデータの送受信を行う装置を介して前記記録媒体から前記記録媒体の識別子を読み出し、その識別子から一意に特定される口座に未清算金があるとき、前記口座と未精算金とに基づいて精算を行う精算ステップと
を有する課金方法。
【請求項２】
前記引き落としステップは、前記記録媒体から読み出した前記記録媒体の識別子から一意に特定される口座に未清算金があるとき、前記口座と未精算金とに基づいて精算を行うことを特徴とする請求項１記載の課金方法。
【請求項３】
前記引き落としステップは、前記画像処理に対する予想金額を算出し、前記識別子から一意に特定される口座から予想金額の電子マネーを引き落として預かり金とすることを特徴とする請求項１記載の課金方法。
【請求項４】
前記引き落としステップは、前記識別子から一意に特定される口座から予め設定されている所定金額の電子マネーを引き落として預かり金とすることを特徴とする請求項１記載の課金方法。
【請求項５】
前記未精算金算出ステップは、前記未精算金と、前記口座の識別子とを表す情報を印刷して出力することを特徴とする請求項１記載の課金方法。
【請求項６】
前記未精算金算出ステップは、読み取った原稿に所定の情報が印刷されていれば、その情報から一意に特定される情報から電子マネーを引き落として預かり金とすることを特徴とする請求項１記載の課金方法。
【請求項７】
前記記録媒体は、非接触型のＩＣカードであることを特徴とする請求項１乃至６何れか一項記載の課金方法。
【請求項８】
電波を利用してデータの送受信が可能な記録媒体を使用して画像処理に対する課金を行う課金システムであって、
前記記録媒体との間でデータの送受信を行う手段と、
前記記録媒体から読み出した前記記録媒体の識別子から一意に特定される口座の電子マネーを引き落として預かり金とする手段と、
ユーザからの指示に基づいて画像処理を行い、その画像処理に対する課金と前記預かり金とを照合して差額を未精算金として算出する手段と、
前記記録媒体との間でデータの送受信を行う手段を介して読み出した前記記録媒体の識別子から一意に特定される口座に未清算金があるとき、前記口座と未精算金とに基づいて精算を行う手段と
を有する課金システム。
【請求項９】
電波を利用してデータの送受信が可能な記録媒体を使用して画像処理に対する課金を行う画像処理装置であって、
前記記録媒体との間でデータの送受信を行う手段と、
前記記録媒体から読み出した前記記録媒体の識別子から一意に特定される口座の電子マネーを引き落として預かり金とする手段と、
ユーザからの指示に基づいて画像処理を行い、その画像処理に対する課金と前記預かり金とを照合して差額を未精算金として算出する手段と、
前記記録媒体との間でデータの送受信を行う手段を介して読み出した前記記録媒体の識別子から一意に特定される口座に未清算金があるとき、前記口座と未精算金とに基づいて精算を行う手段と
を有する画像処理装置。
【発明の詳細な説明】
【技術分野】
【０００１】
本発明は、課金方法、課金システム及び画像処理装置に係り、特に画像処理に対して課金を行う課金方法、課金システム及び画像処理装置に関する。
【背景技術】
【０００２】
例えばコンビニエンスストア等の店頭にはコピー機が設置され、ユーザにコピーサービスを提供していた。このような店頭に設置されたコピー機にはユーザが紙幣又は硬貨等の貨幣を投入するための課金装置やプリペイドカードを差し込むためのカード装置が接続されている（例えば特許文献１及び２）。
【０００３】
近年、店頭での買い物やインターネットを利用した電子商取引では、貨幣価値をデジタルデータで表現した電子マネーが利用されるようになった。電子マネーでは非接触型のＩＣカードが良く利用されている。非接触型のＩＣカードは内部にアンテナを持ち、受信した弱い電波を利用して動作のための電気を生成し、データを送受信する。
【０００４】
このような電子マネー及び非接触型のＩＣカードの普及により、コンビニエンスストア等の店頭に設置されたコピー機においても電子マネーの利用が望まれるようになった。
【特許文献１】特開２００４−３４１７３５号公報
【特許文献２】特開２００３−１９６７３７号公報
【発明の開示】
【発明が解決しようとする課題】
【０００５】
ところで、コピーサービスでは、カラー、モノクロ、両面、部数などの印刷条件に応じてコピー料金が異なり、且つコピー料金の予想精度が悪いため、実際にコピー動作を開始する前にデポジット（預かり金）の支払いが必要であった。貨幣を投入する課金装置やプリペイドカードを差し込むカード装置では、コピー動作を開始する前に貨幣の投入やプリペイドカードの差し込みをユーザに要求することで、貨幣の返金やプリペイドカードの返却までコピー料金の引き落としが可能であった。
【０００６】
一方、非接触型のＩＣカードを利用した電子マネーの場合、ＩＣカードがリーダライタ等のカード装置に接触又は接近している間しかコピー料金の引き落としができず、実際にコピー動作を開始する前にコピー料金の予想金額以上のデポジットの引き落としを行う必要があった。
【０００７】
しかしながら、上記したように、従来のコピーサービスでは印刷条件に応じてコピー料金が異なり、且つコピー料金の予想精度が悪いため、デポジットの引き落としが多すぎたり少なすぎたりしてしまうという問題があった。
【０００８】
本発明は、上記の点に鑑みなされたもので、非接触型のＩＣカードを利用した画像処理に対する課金を正確に精算できる課金方法、課金システム及び画像処理装置を提供することを目的とする。
【課題を解決するための手段】
【０００９】
上記課題を解決するため、本発明は、電波を利用してデータの送受信が可能な記録媒体を使用して画像処理に対する課金を行う課金システムにおける課金方法であって、前記課金システムが、前記記録媒体との間でデータの送受信を行う装置を介して前記記録媒体から前記記録媒体の識別子を読み出し、その識別子から一意に特定される口座から電子マネーを引き落として預かり金とする引き落としステップと、前記課金システムが、ユーザからの指示に基づいて画像処理を行い、その画像処理に対する課金と前記預かり金とを照合して差額を未精算金として算出する未精算金算出ステップと、前記課金システムが、前記記録媒体との間でデータの送受信を行う装置を介して前記記録媒体から前記記録媒体の識別子を読み出し、その識別子から一意に特定される口座に未清算金があるとき、前記口座と未精算金とに基づいて精算を行う精算ステップとを有することを特徴とする。
【００１０】
また、本発明は、電波を利用してデータの送受信が可能な記録媒体を使用して画像処理に対する課金を行う課金システムであって、前記記録媒体との間でデータの送受信を行う手段と、前記記録媒体から読み出した前記記録媒体の識別子から一意に特定される口座の電子マネーを引き落として預かり金とする手段と、ユーザからの指示に基づいて画像処理を行い、その画像処理に対する課金と前記預かり金とを照合して差額を未精算金として算出する手段と、前記記録媒体との間でデータの送受信を行う手段を介して読み出した前記記録媒体の識別子から一意に特定される口座に未清算金があるとき、前記口座と未精算金とに基づいて精算を行う手段とを有することを特徴とする。
【００１１】
また、本発明は、電波を利用してデータの送受信が可能な記録媒体を使用して画像処理に対する課金を行う画像処理装置であって、前記記録媒体との間でデータの送受信を行う手段と、前記記録媒体から読み出した前記記録媒体の識別子から一意に特定される口座の電子マネーを引き落として預かり金とする手段と、ユーザからの指示に基づいて画像処理を行い、その画像処理に対する課金と前記預かり金とを照合して差額を未精算金として算出する手段と、前記記録媒体との間でデータの送受信を行う手段を介して読み出した前記記録媒体の識別子から一意に特定される口座に未清算金があるとき、前記口座と未精算金とに基づいて精算を行う手段とを有することを特徴とする。
【００１２】
なお、本発明の構成要素、表現または構成要素の任意の組合せを、方法、装置、システム、コンピュータプログラム、記録媒体、データ構造などに適用したものも本発明の態様として有効である。
【発明の効果】
【００１３】
本発明によれば、非接触型のＩＣカードを利用した画像処理に対する課金を正確に精算できる課金方法、課金システム及び画像処理装置を提供可能である。
【発明を実施するための最良の形態】
【００１４】
次に、本発明を実施するための最良の形態を、以下の実施例に基づき図面を参照しつつ説明していく。なお、本実施例では画像処理装置の一例としてプリンタ、コピー機などの印刷装置としての機能を有する装置を例に説明するが、画像処理を行う如何なる装置であってもよい。
【００１５】
本発明による課金システムは、接続形態，課金形態，デポジットタイミングの種類が表１に示されるものであるとき、表２の組合せにより複数のシナリオが構成される。
【００１６】
【表１】
2007299293.tif 000003
【００１７】
【表２】
2007299293.tif 000004
次に、本発明による課金システムのシステム構成図について説明する。図１は本発明による課金システムの一実施例のシステム構成図である。図１の課金システムは、サーバ部１と、操作端末部２と、カード装置・ユーザ認証装置３と、印刷装置４と、クライアント部５と、カード装置・ユーザ認証装置６とを含む構成である。図１の課金システムはクライアントサイドにてデポジットを行う例である。
【００１８】
また、サーバ部１は通信部１１，ログ管理部１２，課金管理部１３，ユーザ認証部１４及び印刷ジョブ管理部１５を含む構成である。なお、印刷ジョブ管理部１５はオプションとしてもよい。操作端末部２は、通信部２１，印刷ジョブ管理部２２，デバイス制御部２３，印刷制御部２４及び表示部２５を含む構成である。なお、表示部２５は、オプションとしてもよい。クライアント部５は、通信部５１，表示部５２及び印刷制御部５３を含む構成である。なお、クライアント部５はパソコン等である。
【００１９】
サーバ部１，操作端末部２及びクライアント部５は、例えばインターネット又はＬＡＮ等のネットワーク７を介して接続されている。サーバ部１の通信部１１は、操作端末部２の通信部２１及びクライアント部５の通信部５１との間で通信を行う。ログ管理部１２は様々なログの管理を行う。課金管理部１３は課金処理の管理を行う。ユーザ認証部１４はユーザの認証を行う。印刷ジョブ管理部１５は印刷ジョブの管理を行う。
【００２０】
操作端末部２の通信部２１は、サーバ部１の通信部１１及びクライアント部５の通信部５１との間で通信を行う。印刷ジョブ管理部２２は印刷ジョブの管理を行う。デバイス制御部２３はカード装置・ユーザ認証装置３と接続されており、カード装置・ユーザ認証装置３の制御を行う。印刷制御部２４は印刷装置４と接続されており、印刷装置４の制御を行う。表示部２５は様々な情報を表示する。なお、操作端末部２はカード装置・ユーザ認証装置３及び印刷装置４を内包する構成としてもよい。
【００２１】
また、クライアント部５の通信部５１は、サーバ部１の通信部１１及び操作端末部２の通信部２１との間で通信を行う。表示部５２はディスプレイ等であり、様々な情報を表示する。印刷制御部５３はカード装置・ユーザ認証装置６と接続され、カード装置・ユーザ認証装置６の制御を行う。
【００２２】
図２は本発明による課金システムの他の実施例のシステム構成図である。図２の課金システムは、サーバ部１と、操作端末部２と、カード装置・ユーザ認証装置３と、印刷装置４と、クライアント部５とを含む構成である。図２の課金システムは操作端末サイドにてデポジットを行う例である。
【００２３】
なお、図２の課金システムは、図１の課金システムからクライアント部５の印刷制御部５３と、クライアント部５に接続されたカード装置・ユーザ認証装置６とが除かれた構成である点を除き、図１の課金システムと同様であるため、同一部分について同一符号を付して説明を省略する。
【００２４】
図３は本発明による課金システムの他の実施例のシステム構成図である。図３の課金システムは、サーバ部１と、操作端末部２と、カード装置・ユーザ認証装置３と、クライアント部５とを含む構成である。図３の課金システムは操作端末サイドにてデポジットを行う例である。
【００２５】
サーバ部１は、通信部１１，ログ管理部１２，課金管理部１３及び印刷ジョブ管理部１５を含む構成である。なお、印刷ジョブ管理部１５はオプションとしてもよい。操作端末部２は、通信部２１，印刷ジョブ管理部２２，デバイス制御部２３，印刷制御部２４，表示部２５及び印刷装置２６を含む構成である。操作端末部２は、印刷装置２６を内包する構成である。クライアント部５は、通信部５１及び表示部５２を含む構成である。図３の課金システムを構成する各処理部および各装置は、図１及び図２と一部を除いて同様であるため、同一部分について同一符号を付して説明を省略する。
【００２６】
本発明による課金方法は、接続形態，課金形態，デポジットタイミングの組合せによる表２のシナリオと、図１〜図３に示したシステム構成図との関係により、以下のような実施例を実現できる。
【実施例１】
【００２７】
本発明による課金方法の実施例１は、図１のシステム構成図と表２のシナリオ１又は３との関係により実現される。図４は本発明による課金方法の実施例１を表したシーケンス図である。図５はクライアント部に表示される画面の一例のイメージ図である。
【００２８】
ステップＳ１に進み、ユーザはクライアント部５の表示部５２に表示された印刷条件設定画面１００にカラー、モノクロ、両面、部数などの印刷条件を設定し、印刷ボタンを押下する印刷操作を行う。ユーザによる印刷操作が行われると、クライアント部５はステップＳ２に進み、設定された印刷条件に基づき計算された印刷ジョブの予想印刷金額を含むデポジット徴収ダイアログ１０１を表示部５２に表示する。
【００２９】
ステップＳ３に進み、ユーザはカード装置・ユーザ認証装置６に手持ちのＩＣカードをタッチする。ステップＳ４に進み、カード装置・ユーザ認証装置６はＩＣカードがタッチされている間に、デポジットとして予想印刷金額を引き落とし、クライアント部５に通知する。なお、ステップＳ３において、ＩＣカードにはデポジットが完了した時点で、デポジットを行ったことを示す情報を持たせるようにしてもよい。
【００３０】
図６はＩＣカードの一例のフォーマット図である。図６（ａ）はＩＣカード内部にデポジットした金額を保持する例を示したものである。図６（ｂ）はＩＣカード内部にデポジットした金額を保持しない例を示したものである。
【００３１】
図６（ａ）に示すＩＣカードは、電子マネーアカウントＩＤ格納エリア，電子マネーバリュー格納エリア，デポジット金額格納エリアを有する構成である。電子マネーアカウントＩＤ格納エリアは、電子マネーのアカウントＩＤ（カードＩＤ）を格納している。電子マネーバリュー格納エリアは、電子マネーのバリューを格納している。デポジット金額格納エリアは、デポジットした金額を保持する。また、デポジット金額格納エリアはデポジット金額が再びチャージされたか否かのフラグを保持する。
【００３２】
図６（ｂ）に示すＩＣカードは、電子マネーアカウントＩＤ格納エリア，電子マネーバリュー格納エリアを有する構成である。電子マネーアカウントＩＤ格納エリアは、電子マネーのアカウントＩＤ（カードＩＤ）を格納している。電子マネーバリュー格納エリアは電子マネーのバリュー又は使用限度額としてのバリューを格納している。
【００３３】
図４に戻り、クライアント部５はステップＳ５に進み、デポジットとして予想印刷金額を引き落とした支払いの記録をサーバ部１に送信する。ステップＳ６に進み、クライアント部５は印刷ジョブをサーバ部１に送信する。なお、デポジットが完了した時点で、口座ＩＤを識別できるバーコード，２次元コード又は３次元コードのようなものが印刷された図７に示すようなレシートを発行し、後日、レシートにより識別された口座ＩＤに対応する口座内の残金を払い戻すことも可能である。図７は、口座ＩＤを識別可能なコードが印刷されたレシートの一例のイメージ図である。
【００３４】
クライアント部５はステップＳ７に進み、表示部５２にデポジット引き落とし完了画面１０２を表示する。この後、ユーザはカード装置・ユーザ認証装置３にＩＣカードをタッチすることで印刷装置４で印刷ジョブを開始できる。
【００３５】
ステップＳ８に進み、ユーザはカード装置・ユーザ認証装置３に手持ちのＩＣカードをタッチする。ステップＳ９に進み、カード装置・ユーザ認証装置３はＩＣカードがタッチされている間に、ＩＣカードからカードＩＤを読み出し、操作端末部２に通知する。ステップＳ１０に進み、操作端末部２はカードＩＤをサーバ部１に送信する。
【００３６】
ステップＳ１１に進み、操作端末部２はカードＩＤに応じた印刷ジョブをサーバ部１から取得する。ステップＳ１２に進み、印刷装置４で印刷ジョブを開始する。印刷ジョブの特定は、表示部２５からのユーザＩＤ，パスワードの入力、指紋認証、虹彩認証などによるバイオメトリクス認証でユーザを特定し、そのユーザに応じた印刷ジョブを取得するようにしてもよい。
【００３７】
印刷が終了すると、操作端末部２はステップＳ１３に進み、デポジット金額と印刷金額との照合を行う。紙詰まり等のエラーによってデポジット金額と印刷金額とに差異が生じた場合、操作端末部２はステップＳ１４に進み、デポジット金額と印刷金額との差異を未精算金バリューとしてサーバ部１に送信する。サーバ部１では未精算金バリューを格納しておき、次回以降に後述のような精算を行う。
【００３８】
なお、操作端末部２は紙詰まり等のエラーによってデポジット金額と印刷金額とに差異が生じた場合、図８のような精算画面をクライアント部５の表示部５２に表示させ、精算を行わせるようにしてもよい。図８は精算画面の一例のイメージ図である。
【００３９】
精算画面１１１はデポジット金額が印刷金額よりも大きいときの例である。精算画面１１２はデポジット金額が印刷金額よりも小さいときの例である。精算画面１１１が表示部５２に表示されている状態で、ユーザがカード装置・ユーザ認証装置６にＩＣカードをタッチすると、カード装置・ユーザ認証装置６はＩＣカードがタッチされている間に、ＩＣカードに精算金額を再チャージする。また、精算画面１１２が表示部５２に表示されている状態で、ユーザがカード装置・ユーザ認証装置６にＩＣカードをタッチすると、カード装置・ユーザ認証装置６はＩＣカードがタッチされている間に、ＩＣカードから精算金額を再引き落としする。
【００４０】
以上、本発明による課金方法の実施例１では、非接触型のＩＣカードを利用した印刷に対する課金において、デポジット金額と印刷金額とに差異が生じたとしても、正確に精算することができる。
【実施例２】
【００４１】
本発明による課金方法の実施例２は、図２のシステム構成図と表２のシナリオ２との関係により実現される。図９は、操作端末部に表示される画面の簡略化された画面遷移図である。なお、ユーザはクライアント部５の表示部５２に表示された印刷条件設定画面１００にカラー、モノクロ、両面、部数などの印刷条件を設定し、印刷ボタンを押下する印刷操作を行ったものとする。
【００４２】
操作端末部２にアプリが起動されると、操作端末部２の表示部２５にはログイン画面１２１が表示される。ユーザはカード装置・ユーザ認証装置３に手持ちのＩＣカードをタッチする。ユーザがカード装置・ユーザ認証装置３にＩＣカードをタッチすると、表示部２５には、そのユーザの未精算金の有無に応じて異なる画面が表示される。
【００４３】
未精算金が無いユーザがＩＣカードをタッチすると、表示部２５には印刷ジョブ選択画面１２２が表示される。そして、ユーザが印刷ジョブ選択画面１２２から印刷ジョブを選択すると、表示部２５には選択した印刷ジョブの予想印刷金額を含むデポジット徴収ダイアログ１２３が表示される。
【００４４】
ユーザは印刷ジョブ選択画面１２２の印刷ボタンを押下した後、カード装置・ユーザ認証装置３に手持ちのＩＣカードをタッチする。デポジットとして予想印刷金額が引き落とされたあと、印刷装置４は印刷ジョブを開始する。印刷の終了後、デポジット金額と印刷金額との照合が行われる。
【００４５】
デポジット金額と印刷金額とが同じであれば、表示部２５には印刷完了画面１２４が表示される。デポジット金額と印刷金額とが異なれば、表示部２５には精算画面１２５が表示される。なお、ログイン画面１２１において、未精算金が有るユーザがＩＣカードをタッチした場合も、表示部２５には精算画面１２５が表示される。
【００４６】
ユーザが精算画面１２５の精算ボタンを押下すると、表示部２５には精算ダイアログ１２６が表示される。ユーザはカード装置・ユーザ認証装置３に手持ちのＩＣカードをタッチする。そして、ＩＣカードがタッチされている間に、再チャージ又は再引き落としによる精算を実行する。そして、精算の実行後、表示部２５には精算完了ダイアログ１２７が表示される。ユーザが精算完了ダイアログ１２７の了解ボタンを押下すると、表示部２５にはログイン画面１２１が再び表示される。
【００４７】
図１０〜図１２は操作端末部に表示される画面の詳細な画面遷移図である。なお、図９の画面遷移図と同様に、ユーザはクライアント部５の表示部５２に表示された印刷条件設定画面１００にカラー、モノクロ、両面、部数などの印刷条件を設定し、印刷ボタンを押下する印刷操作を行ったものとする。
【００４８】
操作端末部２にアプリが起動されると、操作端末部２のデバイス制御部２３はデバイス異常の有無を判定する。デバイス異常があると、操作端末部２の表示部２５にはデバイス異常エラーダイアログ１３０が表示される。そして、アプリは処理を終了する。一方、デバイス異常がなければ、表示部２５にはログイン画面１３１が表示される。
【００４９】
ユーザはカード装置・ユーザ認証装置３に手持ちのＩＣカードをタッチするか、例えばカード装置・ユーザ認証装置３のタッチパネル等に表示された画面にタッチする。ユーザが画面にタッチすると、表示部２５にはＩＤ入力画面１３２が表示される。ユーザはＩＤ入力画面１３２にユーザＩＤを入力する。なお、ユーザＩＤの入力にはキーボードを利用してもよい。ユーザがカード装置・ユーザ認証装置３にＩＣカードをタッチすると、タッチしたＩＣカードからユーザＩＤが読み出される。
【００５０】
また、ユーザがログイン画面１３１上でマウスを右クリックすると、表示部２５にはプログラム終了ダイアログ１３３が表示される。ユーザがプログラム終了ダイアログ１３３の了解ボタンを押下すると、アプリは終了する。ユーザがプログラム終了ダイアログ１３３の取消ボタンを押下すると、表示部２５にはログイン画面１３１が表示される。
【００５１】
ユーザによりユーザＩＤが入力されるか、又はＩＣカードからユーザＩＤが読み出されたあと、パスワードの入力が必要であれば、表示部２５にはパスワード入力画面１３４が表示される。ユーザはパスワード入力画面１３４にパスワードを入力する。パスワードが入力されたあと、操作端末部２はエラーの有無を判定する。なお、パスワードの入力が必要でなければ、ユーザによりユーザＩＤが入力されるか、又はＩＣカードからユーザＩＤが読み出されたあと、操作端末部２はエラーの有無を判定する。
【００５２】
サーバ部１との通信エラーがあると、表示部２５には通信エラーダイアログ１３５が表示される。ユーザが通信エラーダイアログ１３５の了解ボタンを押下すると、アプリは終了する。サーバ部１に記録されているＤＢとの通信エラーがあると、表示部２５には通信エラーダイアログ１３６が表示される。ユーザが通信エラーダイアログ１３６の了解ボタンを押下すると、アプリは終了する。なお、サーバ部１に記録されているＤＢの詳細は後述する。
【００５３】
カード装置・ユーザ認証装置３にタッチされたＩＣカードが事故カードであれば、表示部２５にはカード異常エラーダイアログ１３７が表示される。また、ユーザにより入力されたユーザＩＤ又はＩＣカードから読み出されたユーザＩＤが存在しなければ、表示部２５にはユーザ不存在エラーダイアログ１３８が表示される。ユーザがカード異常エラーダイアログ１３７又はユーザ不存在エラーダイアログ１３８の了解ボタンを押下すると、表示部２５にはログイン画面１３１が表示される。
【００５４】
上述したような通信エラー等のエラーが無ければ、表示部２５には、そのユーザの未精算金の有無及び印刷ジョブの有無に応じて異なる画面が表示される。ユーザの未精算金があれば、表示部２５には後述する精算画面１６０が表示される。一方、ユーザの未精算金が無く、印刷ジョブが無ければ、表示部２５には印刷ジョブ無しエラーダイアログ１３９が表示される。そして、ユーザが印刷ジョブ無しエラーダイアログ１３９の了解ボタンを押下すると、表示部２５にはログイン画面１３１が表示される。
【００５５】
ユーザの未精算金が無く、印刷ジョブが有れば、表示部２５には印刷ジョブ選択画面１４０が表示される。ユーザが印刷ジョブ選択画面１４０から印刷ジョブを選択し、印刷ボタンを押下すると、表示部２５には、そのユーザのデポジットの有無に応じて異なる画面が表示される。
【００５６】
デポジットの無いユーザであれば、表示部２５には印刷の確認ダイアログ１４１が表示されたあと、後述する精算画面１６０が表示される。一方、デポジットの有るユーザであれば、表示部２５には選択された印刷ジョブの予想印刷金額を含むデポジット徴収ダイアログ１４２が表示される。なお、ユーザがデポジット徴収ダイアログ１４２の中止ボタンを押下すると、表示部２５には印刷ジョブ選択画面１４０が表示される。
【００５７】
表示部２５にデポジット徴収ダイアログ１４２が表示されているとき、ユーザがカード装置・ユーザ認証装置３に手持ちのＩＣカードをタッチすると、デポジットとして予想印刷金額の引き落としが行われる。そして、操作端末部２はエラーの有無を判定する。
【００５８】
ユーザの電子マネーの残高が不足していれば、表示部２５には残高不足エラーダイアログ１４３が表示される。カード装置・ユーザ認証装置３にタッチされたＩＣカードが事故カードであれば、表示部２５にはカード異常エラーダイアログ１４４が表示される。表示部２５にデポジット徴収ダイアログ１４２が表示されてからＩＣカードを検知することなく所定時間が経過すると、表示部２５にはカード検知タイムアウトエラーダイアログ１４５が表示される。ログイン時と異なるＩＣカードがカード装置・ユーザ認証装置３にタッチされると、表示部２５にはカード相違エラーダイアログ１４６が表示される。
【００５９】
なお、ユーザが表示部２５に表示された残高不足エラーダイアログ１４３，カード異常エラーダイアログ１４４，カード検知タイムアウトエラーダイアログ１４５又はカード相違エラーダイアログ１４６の了解ボタンを押下すると、表示部２５には印刷ジョブ選択画面１４０が表示される。
【００６０】
また、カード装置・ユーザ認証装置３とが接続断となると、表示部２５にはデバイス異常エラーダイアログ１４７が表示される。ユーザが表示部２５に表示されたデバイス異常エラーダイアログ１４７の了解ボタンを押下すると、アプリは処理を終了する。
【００６１】
上述したような残高不足エラー等のエラーが無ければ、デポジットとして予想印刷金額が引き落とされたあと、印刷装置４は印刷を開始する。印刷の終了後、デポジット金額と印刷金額との照合が行われる。デポジット金額と印刷金額とが同じであれば、表示部２５には印刷完了ダイアログ１４８が表示される。ユーザが印刷完了ダイアログ１４８の了解ボタンを押下すると、表示部２５にはログイン画面１３１が表示される。一方、デポジット金額と印刷金額とが異なれば、表示部２５には後述する精算画面１６０が表示される。
【００６２】
なお、印刷ジョブ選択画面１４０の削除タブを押下すると、表示部２５には削除ジョブ選択画面１４９が表示される。ユーザが削除ジョブ選択画面１４９から削除する印刷ジョブを選択し、削除ボタンを押下すると、表示部２５には削除の確認ダイアログ１５０が表示される。そして、削除の確認ダイアログ１５０の削除実行ボタンを押下すると、表示部２５には印刷ジョブの有無に応じて異なる画面が表示される。
【００６３】
印刷ジョブが無ければ、表示部２５には印刷ジョブ無しエラーダイアログ１５１が表示されたあと、ログイン画面１３１が表示される。印刷ジョブが有れば、その印刷ジョブは削除される。そして、表示部２５にはユーザにより選択された印刷ジョブの削除された削除ジョブ選択画面１４９が表示される。また、削除の確認ダイアログ１５０のもどるボタンを押下されると、表示部２５には削除ジョブ選択画面１４９が表示される。なお、削除ジョブ選択画面１４９の印刷タブを押下すると、表示部２５には印刷ジョブ選択画面１４０が表示される。
【００６４】
ユーザが精算画面１６０の精算ボタンを押下すると、表示部２５には精算ダイアログ１６１が表示される。ユーザはカード装置・ユーザ認証装置３に手持ちのＩＣカードをタッチする。そして、ＩＣカードがタッチされている間に、再チャージ又は再引き落としによる精算を実行する。そして、操作端末部２はエラーの有無を判定する。
【００６５】
表示部２５に精算ダイアログ１６１が表示されてからＩＣカードを検知することなく所定時間が経過すると、表示部２５にはカード検知タイムアウトエラーダイアログ１６２が表示される。また、ログイン時と異なるＩＣカードがカード装置・ユーザ認証装置３にタッチされると、表示部２５にはカード相違エラーダイアログ１６４が表示される。ユーザが表示部２５に表示されたカード検知タイムアウトエラーダイアログ１６２又はカード相違エラーダイアログ１６４の了解ボタンを押下すると、表示部２５には精算画面１６０が表示される。
【００６６】
デバイス異常があると、表示部２５にはデバイス異常エラーダイアログ１６３が表示される。そして、ユーザが表示部２５に表示されたデバイス異常エラーダイアログ１６３の了解ボタンを押下すると、アプリは処理を終了する。
【００６７】
カード装置・ユーザ認証装置３にタッチされたＩＣカードが事故カードであれば、表示部２５にはカード異常エラーダイアログ１６５が表示される。カード異常エラーダイアログ１６５の了解ボタンがユーザにより押下されると、表示部２５にはログイン画面１３１が表示される。
【００６８】
ユーザの電子マネーの残高が不足していれば、表示部２５には残高不足エラーダイアログ１６６が表示される。ユーザが残高不足エラーダイアログ１６６の中止ボタンを押下すると、表示部２５には未精算金あり通知ダイアログ１６８が表示される。そして、ユーザが未精算金あり通知ダイアログ１６８の了解ボタンを押下すると、表示部２５にはログイン画面１３１が表示される。
【００６９】
残高不足エラーダイアログ１６６が表示されている状態で、カード装置・ユーザ認証装置３にＩＣカードがタッチされると、カード装置・ユーザ認証装置３はＩＣカードがタッチされている間に、ＩＣカードから残金を引き落とす。なお、ここで行われるＩＣカードのタッチにおいても、前述したカード相違エラー，カード異常エラーの判定を行う。
【００７０】
そして、精算の実行後、表示部２５には精算完了ダイアログ１６７が表示されたあとで未精算金あり通知ダイアログ１６８が表示される。そして、ユーザが未精算金あり通知ダイアログ１６８の了解ボタンを押下すると、表示部２５にはログイン画面１３１が表示される。
【００７１】
上述したようなカード検知タイムアウトエラー等のエラーが無ければ、表示部２５には精算完了ダイアログ１６９が表示される。精算が未精算金の支払いであれば、表示部２５には前述したように印刷ジョブの有無に応じて印刷ジョブ選択画面１４０又は印刷ジョブ無しエラーダイアログ１３９が表示される。精算が未精算金の支払いでなければ、表示部２５にはログイン画面１３１が表示される。なお、精算画面１６０の中止ボタンが押下された場合も表示部２５には未精算金あり通知ダイアログ１７０が表示されたあと、ログイン画面１３１が表示される。
【００７２】
図９〜図１２に示した画面遷移図は、図１３〜図１７のシーケンス図に示す動作により実現される。図１３はデポジット金額が印刷金額よりも大きいときの動作を表すシーケンス図である。ステップＳ２０ではポーリングにより操作端末部２からカード装置・ユーザ認証装置３にユーザＩＤの問い合わせを行っている。
【００７３】
ステップＳ２１に進み、ユーザはカード装置・ユーザ認証装置３に手持ちのＩＣカードをタッチしてログオンする。ステップＳ２２に進み、カード装置・ユーザ認証装置３はＩＣカードがタッチされている間に、ＩＣカードからカードＩＤを読み出し、操作端末部２に通知する。
【００７４】
ステップＳ２３に進み、操作端末部２はＩＤ変換プロトコルを用いてサーバ部１にＩＤ変換を要求する。なお、ＩＤ変換プロトコルはカードＩＤをユーザＩＤに変換するものである。サーバ部１は、例えば図１８に示すようなユーザ情報ＤＢを参照し、カードＩＤをユーザＩＤに変換できる。図１８はユーザ情報ＤＢの一例の構成図である。ステップＳ２４に進み、サーバ部１は操作端末部２にユーザＩＤを返却する。
【００７５】
ステップＳ２５に進み、操作端末部２は、未精算金取得プロトコルを用いてサーバ部１に、指定したユーザＩＤの未清算金の有無を確認する。なお、未精算金取得プロトコルは未精算金の金額を未精算金額として取得するものである。サーバ部１は指定されたユーザＩＤに対応する未精算金の有無を確認する。ここでは、未精算金が無かったものとして説明を続ける。ステップＳ２６に進み、サーバ部１は操作端末部２に未精算金無しという情報を返却する。
【００７６】
ステップＳ２７に進み、操作端末部２はユーザＩＤに対応する印刷ジョブ一覧を印刷ジョブの格納場所から取得する。ステップＳ２８に進み、操作端末部２は取得した印刷ジョブ一覧から印刷ジョブ選択画面を生成し、表示部２５に表示してユーザに閲覧させる。
【００７７】
ステップＳ２９に進み、ユーザは印刷ジョブ選択画面から印刷ジョブを選択し、印刷ジョブ選択画面の印刷ボタンを押下する。ステップＳ３０に進み、操作端末部２は選択された印刷ジョブから予想印刷金額を算出する。ここでは、予想印刷金額として２００円を算出したものとして説明を続ける。ステップＳ３１に進み、操作端末部２は算出した予想印刷金額を含むデポジット徴収ダイアログを表示部２５に表示する。
【００７８】
ステップＳ３２ではポーリングにより操作端末部２からカード装置・ユーザ認証装置３にユーザＩＤの問い合わせを行っている。ステップＳ３３に進み、カード装置・ユーザ認証装置３にユーザがＩＣカードをタッチする。そして、ステップＳ３４に進み、カード装置・ユーザ認証装置３はＩＣカードがタッチされている間に、ＩＣカードからカードＩＤを読み出し、操作端末部２に通知する。
【００７９】
ステップＳ３５に進み、操作端末部２は読み出したカードＩＤを照合し、エラーが無ければステップＳ３６のポーリングによりカード装置・ユーザ認証装置３へデポジット金額の引き落としを請求する。ステップＳ３７に進み、カード装置・ユーザ認証装置３はデポジット金額を引き落とし、その旨を操作端末部２に通知する。
【００８０】
ステップＳ３８に進み、操作端末部２はデポジットの確定プロトコルを用いてサーバ部１に、ユーザのデポジット口座を作成する。デポジットの確定プロトコルはユーザＩＤ及びデポジット金額（預かり金金額）を指定して、デポジットを確定するものである。
【００８１】
ステップＳ３９に進み、操作端末部２は印刷装置４で印刷ジョブを開始する。印刷ジョブの終了後、操作端末部２はステップＳ４０に進み、サーバ部１に実際のトランザクションを要求する。ステップＳ４１に進み、操作端末部２はサーバ部１から実際のトランザクションを取得し、印刷ジョブの状態をチェックする。
【００８２】
ステップＳ４２に進み、操作端末部２は取得した実際のトランザクションに基づいて実際の印刷金額（請求金額）を算出し、デポジット金額と実際の印刷金額とを照合する。ここでは実際の印刷金額として１５０円を算出したものとして説明を続ける。
【００８３】
ステップＳ４３に進み、操作端末部２は、支払いの確定プロトコルを用いてサーバ部１に、デポジット金額から実際の印刷金額を引き落とさせる。なお、支払いの確定プロトコルはユーザＩＤ，徴収確定額及び徴収手段を指定して支払いを確定させるものである。支払いが確定すると、サーバ部１はステップＳ４４に進み、支払いの確定プロトコルの応答として、操作端末部２へＯＫを返却する。
【００８４】
ステップＳ４５に進み、操作端末部２は、未精算金取得プロトコルを用いてサーバ部１に、指定したユーザＩＤの未清算金の有無を確認する。サーバ部１は指定されたユーザＩＤに対応する未精算金の有無を確認する。ここでは、未精算金が−５０円であったものとして説明を続ける。ステップＳ４６に進み、サーバ部１は、操作端末部２に未精算金額が−５０円であるという情報を返却する。
【００８５】
ステップＳ４７に進み、操作端末部２は未精算金額−５０円に基づいて精算画面を表示部２５に表示する。ステップＳ４８では、ユーザが精算画面の精算ボタンを押下する。ステップＳ４９に進み、表示部２５には精算ダイアログが表示される。精算ダイアログにはユーザにＩＣカードをタッチさせる為のメッセージが含まれる。
【００８６】
ステップＳ５０ではポーリングにより操作端末部２からカード装置・ユーザ認証装置３にユーザＩＤの問い合わせを行っている。ステップＳ５１に進み、カード装置・ユーザ認証装置３にユーザがＩＣカードをタッチする。そして、ステップＳ５２に進み、カード装置・ユーザ認証装置３はＩＣカードがタッチされている間に、ＩＣカードからカードＩＤを読み出し、操作端末部２に通知する。
【００８７】
ステップＳ５３に進み、操作端末部２は読み出したカードＩＤを照合し、エラーが無ければステップＳ５４のポーリングによりカード装置・ユーザ認証装置３へ電子マネーのチャージを請求する。ステップＳ５５に進み、カード装置・ユーザ認証装置３はＩＣカードに電子マネーをチャージし、その旨を操作端末部２に通知する。
【００８８】
ステップＳ５６に進み、操作端末部２はデポジットの払い戻しプロトコルを用いてサーバ部１に、デポジット金額の払い戻しを要求する。デポジットの払い戻しプロトコルはユーザＩＤ及びデポジット金額（預かり金金額）を指定して、デポジットをユーザに払い戻すものである。ここでは、ユーザに５０円が払い戻されたものとして説明を続ける。
【００８９】
デポジットをユーザに払い戻したあと、サーバ部１はステップＳ５７に進み、デポジットの払い戻しプロトコルの応答として、操作端末部２へＯＫを返却する。ステップＳ５８に進み、操作端末部２は表示部２５に精算完了ダイアログを表示する。精算完了ダイアログにはユーザに精算が完了したことを通知する為のメッセージが含まれる。
【００９０】
図１４はデポジット金額と印刷金額とが同じときの動作を表すシーケンス図である。図１４のシーケンス図は図１３のシーケンス図と一部を除いて同様であるため、適宜説明を省略する。
【００９１】
ステップＳ６１〜Ｓ８１の処理は、図１３のステップＳ２１〜Ｓ４１の処理と同様であるため、説明を省略する。ステップＳ８２に進み、操作端末部２は取得した実際のトランザクションに基づいて実際の印刷金額（請求金額）を算出し、デポジット金額と実際の印刷金額とを照合する。ここでは実際の印刷金額として２００円を算出したものとして説明を続ける。
【００９２】
ステップＳ８３に進み、操作端末部２は、支払いの確定プロトコルを用いてサーバ部１に、デポジット金額から実際の印刷金額を引き落とさせる。支払いが確定すると、サーバ部１はステップＳ８４に進み、支払いの確定プロトコルの応答として、操作端末部２へＯＫを返却する。
【００９３】
ステップＳ８５に進み、操作端末部２は、未精算金取得プロトコルを用いてサーバ部１に、指定したユーザＩＤの未清算金の有無を確認する。サーバ部１は指定されたユーザＩＤに対応する未精算金の有無を確認する。ここでは、未精算金が０円であったものとして説明を続ける。ステップＳ８６に進み、サーバ部１は操作端末部２に未精算金額が０円であるという情報を返却する。ステップＳ８７に進み、操作端末部２は表示部２５に精算完了ダイアログを表示する。
【００９４】
図１５は、デポジット金額が印刷金額よりも小さいときの動作を表すシーケンス図である。図１５のシーケンス図は図１３のシーケンス図と一部を除いて同様であるため、適宜説明を省略する。
【００９５】
ステップＳ９１〜Ｓ１１１の処理は、図１３のステップＳ２１〜Ｓ４１の処理と同様であるため、説明を省略する。ステップＳ１１２に進み、操作端末部２は取得した実際のトランザクションに基づいて実際の印刷金額（請求金額）を算出し、デポジット金額と実際の印刷金額とを照合する。ここでは実際の印刷金額として２５０円を算出したものとして説明を続ける。
【００９６】
ステップＳ１１３に進み、操作端末部２は支払いの確定プロトコルを用いてサーバ部１に、デポジット金額から実際の印刷金額を引き落とさせる。支払いが確定すると、サーバ部１はステップＳ１１４に進み、支払いの確定プロトコルの応答として、操作端末部２へＯＫを返却する。
【００９７】
ステップＳ１１５に進み、操作端末部２は未精算金取得プロトコルを用いてサーバ部１に、指定したユーザＩＤの未清算金の有無を確認する。サーバ部１は指定されたユーザＩＤに対応する未精算金の有無を確認する。ここでは、未精算金が５０円であったものとして説明を続ける。ステップＳ１１６に進み、サーバ部１は操作端末部２に未精算金額が５０円であるという情報を返却する。
【００９８】
ステップＳ１１７に進み、操作端末部２は、未精算金額５０円に基づいて精算画面を表示部２５に表示する。ステップＳ１１８に進み、ユーザは精算画面の精算ボタンを押下する。ステップＳ１１９に進み、表示部２５には精算ダイアログが表示される。
【００９９】
ステップＳ１２０ではポーリングにより操作端末部２からカード装置・ユーザ認証装置３にユーザＩＤの問い合わせを行っている。ステップＳ１２１に進み、ユーザはカード装置・ユーザ認証装置３にＩＣカードをタッチする。そして、カード装置・ユーザ認証装置３はステップＳ１２２に進み、ＩＣカードがタッチされている間にＩＣカードからカードＩＤを読み出し、操作端末部２に通知する。
【０１００】
ステップＳ１２３に進み、操作端末部２は読み出したカードＩＤを照合し、エラーが無ければステップＳ１２４のポーリングでカード装置・ユーザ認証装置３へ電子マネーの引き落としを請求する。ステップＳ１２５に進み、カード装置・ユーザ認証装置３は、ＩＣカードから電子マネーを引き落とし、その旨を操作端末部２に通知する。
【０１０１】
ステップＳ１２６に進み、操作端末部２は支払いの確定プロトコルを用いてサーバ部１に、ＩＣカードの電子マネーから未精算金額を引き落とさせる。ここでは、ユーザの電子マネーから５０円を引き落としたものとして説明を続ける。
【０１０２】
ユーザの電子マネーから未精算金を引き落とした後、サーバ部１はステップＳ１２８に進み、支払いの確定プロトコルの応答として、操作端末部２へＯＫを返却する。ステップＳ１２９に進み、操作端末部２は表示部２５に精算完了ダイアログを表示する。
【０１０３】
図１６は前回デポジットを行ったまま、精算を行わなかったときの動作を表すシーケンス図である。図１６のシーケンス図は図１３のシーケンス図と一部を除いて同様であるため、適宜説明を省略する。
【０１０４】
ステップＳ１３１〜Ｓ１３５の処理は、図１３のステップＳ２１〜Ｓ２５の処理と同様であるため、説明を省略する。ステップＳ１３５において、サーバ部１は未精算金取得プロトコルで、指定したユーザＩＤの未清算金の有無を操作端末部２から確認される。サーバ部１は指定されたユーザＩＤに対応する未精算金の有無を確認する。ここでは、未精算金が−５０円であったものとして説明を続ける。サーバ部１はステップＳ１３６に進み、操作端末部２に未精算金が−５０円であるという情報を返却する。このように、操作端末部２はＩＣカードをタッチしてログオンしたユーザが、前回デポジットを行ったまま、精算を行わなかったことを確認できる。
【０１０５】
ステップＳ１３７に進み、操作端末部２は口座取得プロトコルを用いてサーバ部１に、指定したユーザの持つデポジット（預かり金）口座の口座ＩＤを確認する。なお、口座取得プロトコルはユーザＩＤを指定して、そのユーザＩＤに対応する口座ＩＤ，口座タイプ及びデポジット金額を取得するものである。
【０１０６】
ステップＳ１３８に進み、操作端末部２はユーザＩＤに対応する口座ＩＤをサーバ部１から取得する。ステップＳ１３９に進み、操作端末部２は未精算金額−５０円に基づいて精算画面を表示部２５に表示する。
【０１０７】
ステップＳ１４０ではポーリングにより操作端末部２からカード装置・ユーザ認証装置３にユーザＩＤの問い合わせを行っている。ステップＳ１４１に進み、ユーザはカード装置・ユーザ認証装置３にＩＣカードをタッチする。そして、カード装置・ユーザ認証装置３はステップＳ１４２に進み、ＩＣカードがタッチされている間にＩＣカードからカードＩＤを読み出し、操作端末部２に通知する。
【０１０８】
操作端末部２はＩＣカードから読み出したカードＩＤを照合し、エラーが無ければステップＳ１４３のポーリングによりカード装置・ユーザ認証装置３へ電子マネーのチャージを請求する。ステップＳ１４４に進み、カード装置・ユーザ認証装置３はＩＣカードに電子マネーをチャージし、その旨を操作端末部２に通知する。
【０１０９】
ステップＳ１４５に進み、操作端末部２はＩＣカードへの返金処理を進める。ステップＳ１４６に進み、操作端末部２は口座ＩＤを指定してサーバ部１へ返金処理の実行を通知する。ステップＳ１４７に進み、サーバ部１はユーザの未精算金を０円としたあと、操作端末部２へＯＫを返却する。この後、表示部２５にはログイン画面が表示され、前述した図１３〜図１５のシーケンス図のような処理が実行される。
【０１１０】
図１７は前回不足金があったまま、精算を行わなかったときの動作を表すシーケンス図である。図１７のシーケンス図は図１３のシーケンス図と一部を除いて同様であり、適宜説明を省略する。
【０１１１】
ステップＳ１５１〜Ｓ１５５の処理は、図１３のステップＳ２１〜Ｓ２５の処理と同様であるため、説明を省略する。ステップＳ１５５において、サーバ部１は未精算金取得プロトコルで、指定したユーザＩＤの未清算金の有無を操作端末部２から確認される。サーバ部１は指定されたユーザＩＤに対応する未精算金の有無を確認する。ここでは、未精算金が５０円であったものとして説明を続ける。サーバ部１はステップＳ１５６に進み、操作端末部２に未精算金が５０円であるという情報を返却する。操作端末部２はＩＣカードをタッチしてログオンしたユーザが、前回不足金があったまま、精算を行わなかったことを確認できる。
【０１１２】
ステップＳ１５７に進み、操作端末部２は口座取得プロトコルを用いてサーバ部１に、指定したユーザの持つデポジット（預かり金）口座の口座ＩＤを確認する。
【０１１３】
ステップＳ１５８に進み、操作端末部２はユーザＩＤに対応する口座ＩＤがないという情報をサーバ部１から取得する。ステップＳ１５９に進み、操作端末部２は未精算金額５０円に基づいて精算画面を表示部２５に表示する。
【０１１４】
ステップＳ１６０ではポーリングにより操作端末部２からカード装置・ユーザ認証装置３にユーザＩＤの問い合わせを行っている。ステップＳ１６１に進み、ユーザはカード装置・ユーザ認証装置３にＩＣカードをタッチする。そして、カード装置・ユーザ認証装置３はステップＳ１６２に進み、ＩＣカードがタッチされている間にＩＣカードからカードＩＤを読み出し、操作端末部２に通知する。
【０１１５】
操作端末部２はＩＣカードから読み出したカードＩＤを照合し、エラーが無ければステップＳ１６３のポーリングによりカード装置・ユーザ認証装置３へ電子マネーの引き落としを請求する。ステップＳ１６４に進み、カード装置・ユーザ認証装置３はＩＣカードから電子マネーを引き落とし、その旨を操作端末部２に通知する。
【０１１６】
ステップＳ１６５に進み、操作端末部２はＩＣカードから支払い処理を進める。ステップＳ１６６に進み、操作端末部２は支払いの確定プロトコルを利用して精算処理の実行を通知する。そして、ステップＳ１６７に進み、サーバ部１はユーザの未精算金を０円としたあと、操作端末部２へＯＫを返却する。この後、表示部２５にはログイン画面が表示され、前述した図１３〜図１５のシーケンス図のような処理が実行される。
【０１１７】
以上、本発明による課金方法の実施例２では、非接触型のＩＣカードを利用した印刷に対する課金において、デポジット金額と印刷金額とに差異が生じたとしても、正確に精算することができる。
【実施例３】
【０１１８】
本発明による課金方法の実施例３は、図３のシステム構成図と表２のシナリオ５との関係により実現される。図１９は本発明による課金方法の実施例３を表した通常時の画面遷移図である。
【０１１９】
最初、操作端末部２の表示部２５には画面２００が表示されている。ユーザは原稿をセットし、カラー、モノクロ、両面、部数などの印刷条件を設定したあと、スタートボタンを押下する。
【０１２０】
ユーザがスタートボタンを押下すると、操作端末部２は原稿をスキャンした後、設定された印刷条件に基づいてコピー予想金額を算出する。操作端末部２は算出したコピー予想金額を請求金額として含む画面２０１を表示部２５に表示する。
【０１２１】
ユーザがカード装置・ユーザ認証装置３にＩＣカードをタッチすると、操作端末部２はＩＣカードからコピー予想金額をデポジットとして引き落としたあと、スキャンした原稿の印刷を開始する。コピーの終了後、操作端末部２は実際のコピー金額の支払いを確定させたあと、表示部２５に画面２０２を表示する。その後、表示部２５には再び画面２００が表示される。
【０１２２】
図２０は本発明による課金方法の実施例３を表したエラー時の画面遷移図である。操作端末部２の表示部２５には画面２１０が表示されている。ユーザは原稿をセットし、印刷条件を設定したあと、スタートボタンを押下する。
【０１２３】
ユーザがスタートボタンを押下すると、操作端末部２は原稿をスキャンした後、設定された印刷条件に基づいてコピー予想金額を算出する。操作端末部２は算出したコピー予想金額を請求金額として含む画面２１１を表示部２５に表示する。
【０１２４】
ユーザがカード装置・ユーザ認証装置３にＩＣカードをタッチすると、操作端末部２はＩＣカードからコピー予想金額をデポジットとして引き落としたあと、スキャンした原稿の印刷を開始する。ここでは、印刷時に何らかのエラー（ジャム等）が発生し、実際のコピー金額とコピー予想金額とに誤差が生じたものとする。この場合、実際のコピー金額はコピー予想金額よりも少なくなる。
【０１２５】
操作端末部２は、表示部２５に画面２１２を表示する。画面２１２には、エラーが発生した旨と、返金のためＩＣカードのタッチを依頼する旨とが、メッセージとして含まれている。ユーザがカード装置・ユーザ認証装置３にＩＣカードをタッチすると、操作端末部２はＩＣカードに返金を行い、実際のコピー金額の支払いを確定させる。操作端末部２は表示部２５に画面２１３を表示したあと、再び画面２１０を表示する。
【０１２６】
図１９及び図２０の画面遷移図ではコピー予想金額を算出し、そのコピー予想金額をデポジットとして引き落としておく例を示したが、図２１の画面遷移図に示すように予め引き落とすデポジット金額を設定しておいてもよい。
【０１２７】
図２１は本発明による課金方法の実施例３の他の例を表した画面遷移図である。操作端末部２の表示部２５には画面２２０が表示されている。画面２２０には、予め設定されている所定金額以上の電子マネーの入ったＩＣカードをタッチする旨がメッセージとして含まれている。
【０１２８】
ユーザがカード装置・ユーザ認証装置３にＩＣカードをタッチすると、操作端末部２は未精算金の有無に応じて異なる処理を行う。未精算金（お釣り）があれば、操作端末部２はＩＣカードから所定金額をデポジットとして引き落としたあと、その未精算金もデポジットに加算する。そして、操作端末部２は表示部２５に画面２２１を表示する。画面２２１のＯＫボタンがユーザにより押下されると、操作端末部２は表示部２５に画面２２２を表示する。
【０１２９】
未精算金（お釣り）がなければ、操作端末部２はＩＣカードから所定金額をデポジットとして引き落としたあと、画面２２２を表示部２５に表示する。画面２２２には、引き落としたデポジット金額に応じたコピー可能な枚数が情報として含まれる。
【０１３０】
画面２２２の「さらにチャージ」ボタンが押下されると、操作端末部２の表示部２５には画面２２３が表示される。画面２２３には、画面２２０が表示されているときにタッチしたＩＣカードを再度タッチする旨がメッセージとして含まれている。なお、画面２２３の中止ボタンが押下されると、操作端末部２の表示部２５には、再び画面２２２が表示される。
【０１３１】
ユーザがカード装置・ユーザ認証装置３にＩＣカードを再度タッチすると、操作端末部２はＩＣカードから予め設定されている所定金額をデポジットとして引き落としたあと、表示部２５に画面２２２を表示する。
【０１３２】
ユーザは原稿をセットし、カラー、モノクロ、両面、部数などの印刷条件を設定したあと、スタートボタンを押下する。ユーザがスタートボタンを押下すると、操作端末部２はコピーを開始し、表示部２５に画面２２４を表示する。コピーの終了後、操作端末部２は設定された印刷条件に基づいて実際のコピー金額を算出する。
【０１３３】
ここでは、実際のコピー金額とデポジットとして引き落とした金額とに差異が生じたものとする。操作端末部２は、表示部２５に画面２２５を表示する。画面２２５には、お釣りがある旨と、返金のためにＩＣカードのタッチを依頼する旨とが、メッセージとして含まれている。
【０１３４】
ユーザが、画面２２０が表示されているときにタッチしたＩＣカードと同じＩＣカードをタッチすると、操作端末部２はＩＣカードにお釣りをチャージする。また、操作端末部２は表示部２５に画面２２７を表示したあと、再び画面２２０を表示する。
【０１３５】
異なるＩＣカードをタッチすると、操作端末部２は表示部２５に画面２２６を表示したあと、再び画面２２０を表示する。画面２２６には、画面２２０が表示されているときにタッチしたＩＣカードと異なるＩＣカードがタッチされた旨が、メッセージとして含まれている。そして、操作端末部２はお釣りを未精算金としてサーバ部１に保存した後、表示部２５に再び画面２２０を表示する。
【０１３６】
以上、本発明による課金方法の実施例３では、非接触型のＩＣカードを利用した印刷に対する課金において、デポジット金額と印刷金額とに差異が生じたとしても、正確に精算することができる。
【０１３７】
（まとめ）
前述した実施例１及び２はオンデマンド印刷システムとの組合せが考えられる。実施例３はコンビニエンスストア等の店頭に設置されたコピー機や複合機（ＭＦＰ）との組合せが考えられる。また、本発明による課金方法はデータストレージサービスとの組合せや広告媒体との組合せも考えられる。
【０１３８】
デポジットの仕組みを利用したデータストレージサービスの一例としては、ユーザから見たとき、印刷ジョブをサーバ部１に保存しておくことができ、無料印刷の権利も付いてくるサービスがある。この場合、課金は月単位ではなく印刷ジョブ単位で行う。
【０１３９】
デポジットにより課金を行うことによって、一定期間、サーバ部１上に印刷ジョブを保持できる。この場合、一定期間が過ぎるとサーバ部１からユーザの印刷ジョブは消え、デポジットも消滅する。デポジットによる課金には印刷ジョブの保管料および印刷金額が含まれている。
【０１４０】
また、デポジットの仕組みを利用した広告媒体の一例としては、例えばバーコード，３次元バーコード又は地紋などにより口座ＩＤへの認証情報を図２２に示すように紙自身に記録しておくことが考えられる。図２２はデポジットの仕組みを利用する広告媒体の一例のイメージ図である。
【０１４１】
図２２の広告媒体は、スポンサーが予めデポジット口座を用意しておき、「この広告は○○ストアのコピー機なら、タダでコピーできます」というメッセージ付きでユーザに配ることによりデポジットの仕組みを利用する。広告媒体を配られたユーザは、コンビニエンスストア等の店頭に設置されたコピー機でコピーするとき、スポンサーが予め用意しているデポジット口座のデポジットを利用してコピーを行うことができる。
【０１４２】
本発明による課金方法は、サーバ部１にユーザ毎の口座を持つことにより、印刷に応じた請求金額の過不足を未精算金として保持しておけるので、ユーザが次にＩＣカードをタッチしたときに精算できる。
【０１４３】
また、本発明による課金方法は例えば毎月一定額の「フリーポイント（自由に使える電子マネー）」を配布することも可能である。この場合、サーバ部１は例えば図２３のような口座情報によりフリーポイント（ポイント）を管理する。本発明による課金方法は、ＩＣカードを一意に認識するため、お釣りが他人に取られたり、他人の未精算金を支払うような事故も生じない。さらに、本発明による課金方法は大規模なオンデマンド印刷システムから小規模なサービスまで対応可能である。
【０１４４】
このように、本発明による課金方法では、サーバ部１にユーザの口座情報を持ち、操作端末部２がＩＣカードから電子マネーバリューをデポジットとして一時的に保存する。そして、操作端末部２はＩＣカードから取得したカードＩＤによりログインしたユーザを一意に識別し、サーバ部１に口座情報を問い合わせることができる。
【０１４５】
本発明による課金方法では、印刷等の途中でエラーが発生したとしても、取りすぎたデポジットを容易に返却できる。本発明による課金方法によれば、ＩＣカードに含まれる電子マネーを利用した課金システムにおいて、「とりっぱぐれる」、「多く取りすぎる」などの事故を効果的に防止可能である。
【０１４６】
本発明は、具体的に開示された実施例に限定されるものではなく、特許請求の範囲から逸脱することなく、種々の変形や変更が可能である。
【図面の簡単な説明】
【０１４７】
【図１】本発明による課金システムの一実施例のシステム構成図である。
【図２】本発明による課金システムの他の実施例のシステム構成図である。
【図３】本発明による課金システムの他の実施例のシステム構成図である。
【図４】本発明による課金方法の実施例１を表したシーケンス図である。
【図５】クライアント部に表示される画面の一例のイメージ図である。
【図６】ＩＣカードの一例のフォーマット図である。
【図７】口座ＩＤを識別可能なコードが印刷されたレシートの一例のイメージ図である。
【図８】精算画面の一例のイメージ図である。
【図９】操作端末部に表示される画面の簡略化された画面遷移図である。
【図１０】操作端末部に表示される画面の詳細な画面遷移図（１／３）である。
【図１１】操作端末部に表示される画面の詳細な画面遷移図（２／３）である。
【図１２】操作端末部に表示される画面の詳細な画面遷移図（３／３）である。
【図１３】デポジット金額が印刷金額よりも大きいときの動作を表したシーケンス図である。
【図１４】デポジット金額と印刷金額とが同じときの動作を表すシーケンス図である。
【図１５】デポジット金額が印刷金額よりも小さいときの動作を表したシーケンス図である。
【図１６】前回デポジットを行ったまま、精算を行わなかったときの動作を表すシーケンス図である。
【図１７】前回不足金があったまま、精算を行わなかったときの動作を表すシーケンス図である。
【図１８】ユーザ情報ＤＢの一例の構成図である。
【図１９】本発明による課金方法の実施例３を表した通常時の画面遷移図である。
【図２０】本発明による課金方法の実施例３を表したエラー時の画面遷移図である。
【図２１】本発明による課金方法の実施例３の他の例を表した画面遷移図である。
【図２２】デポジットの仕組みを利用する広告媒体の一例のイメージ図である。
【図２３】口座情報ＤＢの一例の構成図である。
【符号の説明】
【０１４８】
１    サーバ部
２    操作端末部
３，６    カード装置・ユーザ認証装置
４，２６    印刷装置
５    クライアント部
１１，２１，５１    通信部
１２    ログ管理部
１３    課金管理部
１４    ユーザ認証部
１５，２２    印刷ジョブ管理部
２３    デバイス制御部
２４，５３    印刷制御部
２５，５２    表示部
【図１】
2007299293.tif 000005
【図２】
2007299293.tif 000006
【図３】
2007299293.tif 000007
【図４】
2007299293.tif 000008
【図５】
2007299293.tif 000009
【図６】
2007299293.tif 000010
【図７】
2007299293.tif 000011
【図８】
2007299293.tif 000012
【図９】
2007299293.tif 000013
【図１０】
2007299293.tif 000014
【図１１】
2007299293.tif 000015
【図１２】
2007299293.tif 000016
【図１３】
2007299293.tif 000017
【図１４】
2007299293.tif 000018
【図１５】
2007299293.tif 000019
【図１６】
2007299293.tif 000020
【図１７】
2007299293.tif 000021
【図１８】
2007299293.tif 000022
【図１９】
2007299293.tif 000023
【図２０】
2007299293.tif 000024
【図２１】
2007299293.tif 000025
【図２２】
2007299293.tif 000026
【図２３】
2007299293.tif 000027